(57)【要約】  【課題】  いたずらなどの無意味な操作がなされたことによる不都合を確実に防止すること。  【解決手段】  操作部に複数の操作スイッチを備え、該操作スイッチを操作することにより、その操作スイッチに設定された機能を実行する火災受信機において、指紋を検出する指紋検出センサと、施工業者または管理者の指紋を記憶する指紋記憶部と、前記指紋検出センサが検出する指紋と、前記指紋記憶部が記憶する指紋とが一致したときには、前記複数の操作スイッチに加えられた操作を無効に設定する制御部と、を備えた。  【選択図】  図１
2005293186.tif 000002
【特許請求の範囲】
【請求項１】
操作部に複数の操作スイッチを備え、該操作スイッチを操作することにより、その操作スイッチに設定された機能を実行する火災受信機において、
指紋を検出する指紋検出センサと、
施工業者または管理者の指紋を記憶する指紋記憶部と、
前記指紋検出センサが検出する指紋と、前記指紋記憶部が記憶する指紋とが一致したときには、前記複数の操作スイッチに加えられた操作を無効に設定する制御部と、を備えたことを特徴とする火災受信機。
【請求項２】
指紋登録スイッチを備え、
前記制御部は、前記指紋登録スイッチが操作されたときに、前記指紋検出センサが検出する指紋を、前記指紋記憶部に施工業者または管理者の指紋として記憶することを特徴とする請求項１記載の火災受信機。
【請求項３】
前記制御部は、操作無効設定とされた前記複数の操作スイッチが操作された場合に、警告を報知する警告報知手段を備えたことを特徴とする請求項１〜２記載の火災受信機。
【請求項４】
前記制御部は、前記複数の操作スイッチが操作無効設定とされているときに、外部からの火災感知信号が入力された場合、前記複数の操作スイッチの操作無効設定を自動的に解除することを特徴とする請求項１〜３記載の火災受信機。
【請求項５】
前記複数の操作スイッチが操作無効設定とされていることを報知する設定状態報知手段を備えたことを特徴とする請求項１〜４記載の火災受信機。
【請求項６】
火災感知器や地区音響装置等の複数の端末機器と回線を介して接続される火災受信機において、
指紋を検出する指紋検出センサと、
施工業者または管理者の指紋を記憶する指紋記憶部と、
前記端末機器に関する設定情報を記憶する設定情報記憶部と、
前記指紋検出センサが検出する指紋と、前記指紋記憶部が記憶する指紋とが一致したときには、前記設定情報記憶部に記憶された設定情報を変更可能とする制御部と、を備えたことを特徴とする火災受信機。
【発明の詳細な説明】
【技術分野】
【０００１】
本発明は、接続された火災感知器等からの信号により火災を監視して警報する火災受信機に関する。
【背景技術】
【０００２】
例えばビルなどの建物に設置された火災警報システムは、同建物に設置された火災感知器が火災の発生を感知して火災感知信号を出力すると、火災受信機がその火災感知信号を受信して火災が発生した旨を表示するとともに、地区ベル等の地区音響装置を鳴動させて火災の発生を建物内の人に報知したり、外部機器である通報装置を介して警備センタや消防署などに通報するものである。なお、火災感知器および地区音響装置は端末機器である。
【０００３】
そして、このような従来の火災受信機には、各種機能を有する複数のスイッチが設けられており、これらのスイッチのうち、誤操作された場合に不測の事態（例えば緊急時に起動遮断スイッチが誤操作されて防排煙機器が作動しないなど）が発生するなどの不都合が生じる可能性のあるスイッチは、透明カバーによって覆い、いたずらなどの無意味な操作による不都合を防止するようにしている（例えば、特許文献１参照）。
【特許文献１】実用新案登録第特開平２６０７６８０号公報
【発明の開示】
【発明が解決しようとする課題】
【０００４】
しかしながら、スイッチをカバーで覆うため、緊急時に操作したい場合、透明カバーを取り外す必要があり使い勝手が悪く、また、透明カバーを取り外せばいたずらが可能となることから、誤操作防止対策としては不十分であった。
【０００５】
また、従来の火災受信機では、端末機器に関する設定情報を記憶する設定情報記憶部が設けられており、この設定情報の変更登録作業として、例えば、施工業者または管理者は、筺体内に設けられた設定変更スイッチを操作してから、操作部の操作スイッチの所定の操作により、これら端末機器に関する設定情報を変更登録していたが、施工業者または管理者以外の人が、設定変更スイッチをいたずらに操作したりして、設定情報が変更されてしまうことがあった。
【０００６】
本発明は、上記のような課題を解決するためになされたもので、いたずらなどの無意味な操作がなされたことによる不都合を確実に防止することのできる火災受信機を提供することを目的とする。
【課題を解決するための手段】
【０００７】
本発明は、操作部に複数の操作スイッチを備え、該操作スイッチを操作することにより、その操作スイッチに設定された機能を実行する火災受信機において、指紋を検出する指紋検出センサと、施工業者または管理者の指紋を記憶する指紋記憶部と、前記指紋検出センサが検出する指紋と、前記指紋記憶部が記憶する指紋とが一致したときには、前記複数の操作スイッチに加えられた操作を無効に設定する制御部と、を備えたことを特徴とする。
【０００８】
また、指紋登録スイッチを備え、前記制御部は、前記指紋登録スイッチが操作されたときに、前記指紋検出センサが検出する指紋を、前記指紋記憶部に施工業者または管理者の指紋として記憶することを特徴とする。
【０００９】
また、前記制御部は、操作無効設定とされた前記複数の操作スイッチが操作された場合に、警告を報知する警告報知手段を備えたことを特徴とする。
【００１０】
また、前記制御部は、前記複数の操作スイッチが操作無効設定とされているときに、外部からの火災感知信号が入力された場合、前記複数の操作スイッチの操作無効設定を自動的に解除することを特徴とする。
【００１１】
また、前記複数の操作スイッチが操作無効設定とされていることを報知する設定状態報知手段を備えたことを特徴とする。
【００１２】
また本発明は、火災感知器や地区音響装置等の複数の端末機器と回線を介して接続される火災受信機において、指紋を検出する指紋検出センサと、施工業者または管理者の指紋を記憶する指紋記憶部と、前記端末機器に関する設定情報を記憶する設定情報記憶部と、前記指紋検出センサが検出する指紋と、前記指紋記憶部が記憶する指紋とが一致したときには、前記設定情報記憶部に記憶された設定情報を変更可能とする制御部と、を備えたことを特徴とする。
【発明の効果】
【００１３】
本発明に係る火災受信機は、操作部に複数の操作スイッチを備え、該操作スイッチを操作することにより、その操作スイッチに設定された機能を実行する火災受信機において、指紋を検出する指紋検出センサと、施工業者または管理者の指紋を記憶する指紋記憶部と、前記指紋検出センサが検出する指紋と、前記指紋記憶部が記憶する指紋とが一致したときには、前記複数の操作スイッチに加えられた操作を無効に設定する制御部と、を備えたので、いたずら等によるなどの無意味な操作による不都合を確実に防止することができる。
【００１４】
また、指紋登録スイッチを備え、前記制御部は、前記指紋登録スイッチが操作されたときに、前記指紋検出センサが検出する指紋を、前記指紋記憶部に施工業者または管理者の指紋として記憶するので、現場で指紋登録作業も行うことができる。なお、指紋登録スイッチを筐体内に設けておけば、いたずらに指紋登録スイッチが操作されて、指紋記憶部に記憶されることがなくなる。
【００１５】
また、前記制御部は、操作無効設定とされた前記複数の操作スイッチが操作された場合に、警告を報知する警告報知手段を備えたので、この警告報知により、操作者に威嚇を与えることができ、いたずらを確実に防止することができる。
【００１６】
また、前記制御部は、前記複数の操作スイッチが操作無効設定とされているときに、外部からの火災感知信号が入力された場合、前記複数の操作スイッチの操作無効設定を自動的に解除するので、緊急時のスイッチ操作に支障をきたすことがない。
【００１７】
また、前記複数の操作スイッチが操作無効設定とされていることを報知する設定状態報知手段を備えたので、操作無効設定中か否かを確認することができて便利である。
【００１８】
また本発明に係る火災受信機は、火災感知器や地区音響装置等の複数の端末機器と回線を介して接続される火災受信機において、指紋を検出する指紋検出センサと、施工業者または管理者の指紋を記憶する指紋記憶部と、前記端末機器に関する設定情報を記憶する設定情報記憶部と、前記指紋検出センサが検出する指紋と、前記指紋記憶部が記憶する指紋とが一致したときには、前記設定情報記憶部に記憶された設定情報を変更可能とする制御部と、を備えたので、いたずら等によるなどの無意味な操作によって、設定情報記憶部に記憶された端末機器に関する設定情報が変更されることを、確実に防止することができる。この設定情報としては、例えば、端末機器のアドレス情報、種別情報などや、火災を検出した火災感知器の回線に対応して、鳴動制御される地区音響装置の回線を登録する連動設定情報などがある。
【００１９】
なお、指紋検出センサの代わりに、網膜センサ、声紋センサなどの人間個々の特徴を識別可能なセンサであってもよい。
【発明を実施するための最良の形態】
【００２０】
＜実施の形態１＞  図１は、本発明の実施の形態１の構成を示すブロック図、図２は、本発明の実施の形態１に係る操作パネルを含む火災受信機の概略正面図である。
【００２１】
本実施の形態１の火災受信機１は、ビルなどの建物に設けられる火災警報システムを構成する火災受信機で、例えば同建物の管理室等に設置され、建物内の各階各所に設置された火災感知器２あるいは各階の共用部等に設置された発信機３からの火災感知信号により発生した火災の警報を行うものである。そして、操作部に複数の操作スイッチを備えており、その各操作スイッチに設定された機能を実行するように構成されている。本発明の特徴としては、いたずら等の誤操作を防止するために、後述するように、指紋を検出する指紋検出センサと、施工業者または管理者の指紋を記憶する指紋記憶部と、前記指紋検出センサが検出する指紋と、前記指紋記憶部が記憶する指紋とが一致したときには、前記複数の操作スイッチに加えられた操作を無効に設定する操作無効設定手段としての制御部と、を備えたことにある。
【００２２】
以下、本発明の特徴部分の詳細説明に先立って、図１及び図２に基づいて火災受信機１の構成について説明する。
【００２３】
火災受信機１は、後述のプログラムメモリ１２に格納されているプログラムを実行することにより、火災受信機１の内部および火災警報システム全体を制御する制御部１１と、以下に詳述する本発明の特徴部分である操作無効設定手段を実現する操作無効設定処理プログラムや、その他、制御部１１が実行すべき各種機能に対応するプログラムが予め格納されている、例えばＲＯＭなどのプログラムメモリ１２と、制御部１１が各種機能を実行する際に作業用として用いられる、例えばＲＡＭなどの作業用メモリ１３と、火災警報システムの初期データや施工業者または管理者により設定された各種データが格納される、例えばＥＥＰＯＭなどの不揮発性のデータメモリ１４と、各階各所に設置された外部機器であって地区音響装置である地区ベル４のうちから選択された地区ベル４に対して、地区音響回線Ｆ１〜Ｆｎを介して駆動させる地区音響駆動回路１５−１〜１５−ｎと、火災感知器２から火災感知信号が出力されるとその旨を感知器回線Ｌ１〜Ｌｎを介して制御部１１に通知するとともに、発信機３から火災感知信号が出力されるとその旨を発信機回線Ａ１〜Ａｎを介して制御部１１に通知する火災検出回路１６−１〜１６−ｎと、火災の発生を報知したり、以下に詳述する警告報知を行う例えばブザー等で構成された警告報知手段としての音響部１８と、表示部１９と、操作部２０と、通話回路Ｔ１〜Ｔｎを介して火災受信機１に設置された送受話器２２と発信機３に接続された送受話器（図示せず）との通話を可能にする通話回路２１とを備えている。なお、火災感知器２と発信機３と地区ベル４とは、端末機器の一例である。
【００２４】
また、火災受信機１は、指紋を検出する指紋検出センサ６０と、施工業者または管理者の指紋を記憶する、例えばＥＥＰＲＯＭなどの不揮発性の指紋記憶部６１と、指紋登録スイッチ６２を備えている。
【００２５】
制御部１１は、マイクロプロセッサ（ＭＰＵ）等からなり、プログラムメモリ１２に格納された操作無効設定処理プログラムにより操作無効設定手段１１ａとして機能する。操作無効設定手段１１ａの動作の詳細は後述する。また、制御部１１には、後述の操作部２０の各操作スイッチからの操作入力信号が入力されるようになっており、その操作スイッチに設定された機能を実行するように構成されている。本発明においては、操作無効設定機能開始操作として、指紋検出センサ６０が検出する指紋と、指紋記憶部６１が記憶する指紋とが一致したときには、プログラムメモリ１２に格納された操作無効設定処理プログラムを実行して、操作部２０の複数の操作スイッチに加えられた操作を無効に設定する操作無効設定機能を開始するようにしている。また、制御部１１は、指紋登録スイッチ６２が操作されたときに、指紋検出センサ６０が検出する指紋を、指紋記憶部６１に施工業者または管理者の指紋として記憶する。また、制御部１１には、火災感知器２及び発信機３といった火災受信機１からみて外部からの火災感知信号が火災検出回路１６−１〜１６−ｎを介して入力され、その入力に応じた処理を実行するようになっている。この処理としては、例えば、音響部１８の鳴動制御、及び、火災を検出した火災感知器３の感知器回線Ｌ１〜Ｌｎに対応して、鳴動制御される地区ベル４の地区音響回線Ｆ１〜Ｆｎが登録されているデータメモリ１４内の連動設定情報を参照して、所定の地区ベル４の鳴動制御を行うなどである。
【００２６】
図２には、火災受信機１の正面の操作パネル１ａが示されている。この火災受信機１は、詳細に図示しないが、その筺体を、正面が開口した箱状の本体と、その開口を覆う扉とによって構成されており、その扉の所定箇所に操作パネル１ａが設けられている。また、筺体内には、制御部１１を搭載したプリント基板が設けられており、指紋登録スイッチ６２は、そのプリント基板上などの筺体内部に設けられて、施工業者や管理者以外の人に、いたずらに操作されないようになっている。
【００２７】
表示部１９は、図２に示すように、扉の操作パネル１ａに設けられ、例えば発光ダイオードからなる、感知器回線Ｌ１〜Ｌｎに対応して設けられた地区灯２３と地区灯２３の右側に設けられてその地区灯２３が属する警戒区域名が記入された記入部（図示せず）とから構成された地区窓部２４と、ＬＥＤからなる火災表示灯２５、交流電源灯２６、発信機灯２７、蓄積中灯２８、操作無効設定状態にあることを報知する設定状態報知手段である誤操作防止中灯２９、スイッチ注意灯３０、電話灯３１、非常放送中灯３２、異常代表灯３３、回路電圧灯３４、予備電源灯３５、ヒューズ灯３６、保守設定中灯３７、蓄積解除灯３８、試験復旧灯３９、自動復旧灯４０、火災試験灯４１、予備電源試験灯４２および後述する操作部２０の各操作スイッチにそれぞれ対応したスイッチ灯４３などの各種表示灯４４とを備えている。
【００２８】
操作部２０は、図２に示すように、扉の操作パネル１ａに設けられ、警報音を停止するための受信機警報音停止スイッチ４６と、地区ベル４の鳴動を一時停止させるための地区ベル一時停止スイッチ４７と、火災・蓄積状態から平常状態に復旧させるための復旧スイッチ４８と、火災受信機１に接続される例えば通報装置等の外部機器（図示せず）への移報信号を遮断させるための移報遮断スイッチ４９と、データメモリ１４に格納された、例えば、通報装置（図示せず）への移報信号の遮断機能、非常放送設備（図示せず）への火災時連動用の火災確定移報信号の遮断機能等の複数の外部機器への各種の移報信号遮断機能関係から選択された１つの機能を実行させるためのオプションスイッチ５０と、保守設定中に「蓄積解除」、「試験復旧」、「自動復旧」、「火災試験」、「予備電源試験」などの保守機能を選択するための選択スイッチ５１と、選択された機能を実行するための実行スイッチ５２とを備えており、これらスイッチが操作部２０の操作スイッチ４６〜５２である。また、指紋検出センサ６０は、図２に示すように、実行スイッチ５２の右側に設けられている。
【００２９】
本例の操作無効設定機能は、上述したように、操作部２０に設けられた操作スイッチ４６〜５２に加えられた操作を無効に設定するものであり、この操作無効設定機能は、上述したように操作無効設定機能開始操作が行われると開始されるもので、この操作としては、施工業者や管理者が自身の指紋を指紋検出センサ６０に接触させることにより、操作無効設定機能を開始させることができるようになっている。また、操作無効設定機能を解除する場合は、開始させる場合と同様の操作が行われた場合、解除するようにしている。
【００３０】
以下、本発明の特徴部分である、操作無効設定機能の詳細について、制御部１１の動作に基づいて説明する。なお、制御部１１は、操作無効設定機能の動作の他に、特に示さないが、常時、火災監視処理を行い、火災受信機１は火災監視状態にあるものとする。そして、火災感知信号が入力された場合には、その火災感知信号に応じた処理を行うものとする。以下では、操作無効設定機能に着目した制御部１１の動作（処理）について説明する。
【００３１】
１．通常時処理（操作無効設定機能オフ）
制御部１１は、操作無効設定機能が初期状態ではオフであり、この状態では通常時処理を行う。ここで、制御部１１は、各操作スイッチ４６〜５２からの操作入力と、指紋検出センサ６０からのセンサ信号入力と、指紋登録スイッチ６２からの操作入力とをチェックしており、各操作スイッチ４６〜５２からの操作入力信号があると、その操作入力内容を判断し、その操作された操作スイッチ４６〜５２の機能処理を行い、その後も、上記１．通常時処理を継続する。
【００３２】
また、指紋検出センサ６０からのセンサ信号の入力をチェックして、指紋検出センサ６０が検出する指紋と、指紋記憶部６１が記憶する指紋とを比較判別して、一致したときには、複数の操作スイッチ４６〜５２に加えられた操作を無効に設定するように、操作無効設定機能をオンし、続いて誤操作防止中灯２９を点灯させる。そして、制御部１１は、下記２．誤操作防止中処理に入る。
【００３３】
また、指紋登録スイッチ６２からの操作入力があると判断した場合には、制御部１１は、指紋検出センサ６０が検出する指紋を、指紋記憶部６１に施工業者または管理者の指紋として記憶する。つまり、新たに指紋を登録する必要がある施工業者または管理者は、筺体内部に設けられた指紋登録スイッチ６２を操作しながら、自身の指紋を指紋検出センサ６０に接触させることで、容易に指紋を登録することができる。そして、制御部１１は、その後も、上記１．通常時処理を継続する。
【００３４】
２．誤操作防止中処理（操作無効設定機能オン）
この誤操作防止中処理に入った制御部１１は、外部機器からの火災感知信号の入力と、操作スイッチ４６〜５２の操作入力と、指紋検出センサ６０からのセンサ信号入力をチェックしており、火災感知信号が入力された場合には、すなわち操作無効設定機能が開始された後に火災が発生した場合には、操作スイッチ４６〜５２の操作を無効から有効に切替設定し、操作スイッチ４６〜５２の機能を使用可能とした後、誤操作防止中灯２９を消灯させる。これにより操作無効設定機能が解除（オフ）された状態となる。そして、火災感知信号に対応した火災処理を行い、その後、上記１．通常時処理に戻る。
【００３５】
また、操作スイッチ４６〜５２の操作入力があると判断した場合には、制御部１１は、操作無効設定機能がオン状態中における操作スイッチ４６〜５２の操作入力であるため、いたずら等と判断して、操作者に威嚇を与える意味で音響部１８を制御して警報音を鳴動させ、操作者に警告を報知する。この警報の報知としては、本例においては警報音を鳴動させるようにしているが、他に例えば、操作パネル１ａ上の全ての表示灯をフラッシングさせるなど、表示による警告を行うようにしてもよい。そして、制御部１１は、その後も、上記２．誤操作防止中処理を継続する。
【００３６】
また、指紋検出センサ６０からのセンサ信号の入力をチェックして、指紋検出センサ６０が検出する指紋と、指紋記憶部６１が記憶する指紋とを比較判別して、一致したときには、制御部１１は、複数の操作スイッチ４６〜５２に加えられた操作を有効に設定するように、操作無効設定機能をオフからオンに切替設定し、続いて誤操作防止中灯２９を消灯させる。そして、制御部１１は、誤操作防止中処理を終了して、上記１．通常時処理に戻る。
【００３７】
以上説明したように、本実施の形態１の操作無効設定機能によれば、操作部２０に設けられた操作スイッチ４６〜５２を操作無効とするため、施工業者や管理者以外の人による、いたずら等によるなどの無意味な操作による不都合を確実に防止することができる。すなわち、いたずら等による誤操作により機器を動作させ、事故などが発生することを防止することができる。特に、操作無効設定機能の設定および解除に利用される指紋は、人間毎にそれぞれ異なるものであり、極めて認証判断性に優れるものであるから、さらに、施工業者や管理者以外の人による、いたずら等によるなどの無意味な操作による不都合を確実に防止することができる。なお、指紋検出センサ以外のセンサ、例えば、網膜センサ、声紋センサなどであってもよい。
【００３８】
また、指紋登録スイッチ６２の操作により、新たに指紋を登録する必要がある施工業者または管理者は、指紋登録スイッチ６２を操作することで、容易に指紋を登録することができる。指紋登録スイッチ６２が筺体内部に設けられているので、いたずらに指紋登録スイッチ６２が操作されて、指紋記憶部６１に記憶されることがなくなる。なお、指紋登録の際に、その登録を行う施工業者や管理者は、筺体内部に設けられた指紋登録スイッチ６２の操作と、筺体正面に設けられた指紋検出センサ６０への自身の指紋の接触とを行わなければならず、作業性があまりよくないので、指紋登録スイッチ６２の機能を代用するものとして、例えば、操作部２０に設けた操作スイッチ４６〜５２のうちから予め特定された複数の操作スイッチの同時操作、又は、これらスイッチの所定時間以上の長押し操作、その他、操作部２０に設けた操作スイッチ４６〜５２のうちから予め特定された単一の操作スイッチの所定時間以上の長押し操作のいずれかが操作されたときに、制御部１１が、指紋登録スイッチが操作されたと判断するようにしてもよい。
【００３９】
また、操作無効設定機能状態中に、操作無効設定状態にある操作スイッチ４６〜５２が操作（押下）された場合には、警告を報知して、操作者に威嚇を与えるようにしたので、いたずらを確実に防止することができる。
【００４０】
また、火災発生などの緊急時には、自動的に操作無効設定状態を解除するため、緊急時の操作スイッチ４６〜５２の操作に支障をきたすことがない。このため、従来のようにカバーで操作スイッチを覆うことによりいたずら防止を図る技術のように、操作性を犠牲とすることがないため、使い勝手がよく、また、カバーなどの専用の追加部品も必要ないことから、信頼性が高い製品を安価に構成することが可能である。
【００４１】
また、操作無効設定機能中は、その状態が分かるように誤操作防止中灯２９を点灯するようにしているため、操作無効設定機能を設定中か否かを確認することができて便利である。
【００４２】
＜実施の形態２＞  実施の形態１の火災受信機１の指紋検出センサ６０が、複数の操作スイッチ４６〜５２に加えられた操作を無効に設定するための操作無効設定機能の設定および解除に用いられるのに対して、本実施の形態２の火災受信機の指紋検出センサ６０は、設定情報記憶部としてのデータメモリ１４に記憶されている端末機器に関する設定情報を変更可能とするために用いられる点が異なるのみである。
【００４３】
データメモリ１４には、前述したように、火災警報システムの初期データや施工業者または管理者により設定された各種データが格納されているが、具体的には、端末機器に関する設定情報として、火災感知器２、発信機３、地区ベル４等の端末機器のアドレス情報、種別情報などや、火災を検出した火災感知器２の感知器回線Ｌ１〜Ｌｎに対応して、鳴動制御される地区ベル４の地区音響回線Ｆ１〜Ｆｎを登録する連動設定情報などがある。
【００４４】
そして、従来の火災受信機では、例えば、施工業者または管理者は、筺体内に設けられた設定変更スイッチを操作してから、操作部の操作スイッチの所定の操作により、これら端末機器に関する設定情報を変更登録していたが、本実施の形態２の火災受信機では、制御部１１が、指紋検出センサ６０のセンサ信号入力を常時チェックしており、指紋検出センサ６０が検出する指紋と、指紋記憶部６１が記憶する施工業者または管理者の指紋とが一致したときには、データメモリ（設定情報記憶部）１４に記憶された設定情報を変更可能とするようにしている。
【００４５】
つまり、施工業者または管理者は、指紋検出センサ６０に指紋を接触させると、設定情報変更可能状態となり、この設定情報変更可能状態において、操作部２０の操作スイッチ４６〜５２の所定の操作により、これら端末機器に関する設定情報を変更した後に、再度、指紋検出センサ６０に指紋を接触させることで、設定情報の変更登録作業を一通り行うことができる。設定情報を変更可能にするために利用される指紋は、人間毎にそれぞれ異なるものであり、極めて認証判断性に優れるものであるから、施工業者または管理者、すなわち、設定情報を変更することが必要とされる人以外の人による、いたずら等によって設定情報が変更されることによる不都合を確実に防止することができる。なお、指紋検出センサ以外のセンサ、例えば、網膜センサ、声紋センサなどであってもよい。
【図面の簡単な説明】
【００４６】
【図１】本発明の実施の形態の構成を示すブロック図である。
【図２】本発明の実施の形態に係る操作パネルの正面図である。
【符号の説明】
【００４７】
１  火災受信機
１１  制御部
１４  データメモリ（設定情報記憶部）
１８  音響部（警告報知手段）
２０  操作部
２９  誤操作防止中灯（設定状態報知手段）
６０  指紋検出センサ
６１  指紋記憶部
６２  指紋登録スイッチ
【図１】
2005293186.tif 000003
【図２】
2005293186.tif 000004